【手続補正書】
【提出日】平成29年6月16日(2017.6.16)
【手続補正１】
【補正対象書類名】特許請求の範囲
【補正対象項目名】全文
【補正方法】変更
【補正の内容】
【特許請求の範囲】
【請求項１】
被処理気体とＣＯ２吸収液とを接触させて前記被処理気体に含まれるＣＯ２を前記ＣＯ２吸収液に吸収させるＣＯ２吸収塔と、
ＣＯ２を吸収した前記ＣＯ２吸収液を加熱してＣＯ２を放出させて前記ＣＯ２吸収液を再生するＣＯ２吸収液再生塔と、
前記被処理気体中のＣＯ２濃度、及び前記ＣＯ２吸収塔から放出されるＣＯ２に基づいたＣＯ２の回収率の実測値及び目標値に基づいて、前記ＣＯ２吸収塔に供給する前記ＣＯ２吸収液の循環量を変更すると共に、前記ＣＯ２吸収液再生塔の再生加熱器に供給する飽和水蒸気の供給量を変更してＣＯ２回収率の実測値と前記目標値との差分値を所定範囲内に制御するＣＯ２回収率制御部と、
前記ＣＯ２吸収液再生塔から放出されるＣＯ２に基づいた前記被処理気体中のＣＯ２の回収量の実測値及び目標値に基づいて、前記ＣＯ２吸収塔に供給する前記ＣＯ２吸収液の循環量を変更すると共に、前記ＣＯ２吸収液再生塔の再生加熱器に供給する飽和水蒸気の供給量を変更してＣＯ２回収量の前記実測値と前記目標値との差分値を所定範囲内に制御するＣＯ２回収量制御部と、
を具備することを特徴とする、ＣＯ２回収装置。
【請求項２】
前記ＣＯ２回収率制御部は、前記ＣＯ２回収率の前記実測値と前記目標値との前記差分値に基づいて比例演算及び積分演算により前記ＣＯ２回収率を制御する、請求項１に記載のＣＯ２回収装置。
【請求項３】
前記ＣＯ２回収量制御部は、前記ＣＯ２回収量の前記実測値と前記目標値との前記差分値に基づいて比例演算及び積分演算により前記ＣＯ２回収量を制御する、請求項１又は請求項２に記載のＣＯ２回収装置。
【請求項４】
前記ＣＯ２回収率制御部は、前記循環量及び前記飽和水蒸気の供給量を随時演算して制御する第１制御モードと、前記循環量及び前記飽和水蒸気の供給量を所定期間ごとに演算して制御する第２制御モードとを備え、
前記ＣＯ２回収量制御部は、前記循環量及び前記飽和水蒸気の供給量を随時演算して制御する第１制御モードと、前記循環量及び前記飽和水蒸気の供給量を所定期間ごとに演算して制御する第２制御モードとを備えた、請求項１から請求項３のいずれか１項に記載のＣＯ２回収装置。
【請求項５】
前記ＣＯ２回収率制御部及び前記ＣＯ２回収量制御部のいずれか一方を前記第１制御モードとし、いずれか他方を前記第２制御モードとする、請求項４に記載のＣＯ２回収装置。
【請求項６】
前記ＣＯ２回収率制御部を前記循環量及び前記飽和水蒸気の供給量を随時演算して制御する第１制御モードとすると共に、
前記ＣＯ２回収量制御部を前記循環量及び前記飽和水蒸気の供給量を随時演算して制御する第１制御モードとし、
前記ＣＯ２回収量制御部及び前記ＣＯ２回収率制御部のいずれか一方についてはデッドバンドを設けて制御する、請求項１から請求項３のいずれか１項に記載のＣＯ２回収装置。
【請求項７】
被処理気体とＣＯ２吸収液とを接触させて前記被処理気体に含まれるＣＯ２をＣＯ２吸収塔で前記ＣＯ２吸収液に吸収させる工程と、
ＣＯ２を吸収した前記ＣＯ２吸収液をＣＯ２吸収液再生塔で加熱してＣＯ２を放出させて前記ＣＯ２吸収液を再生する工程と、を含み、
前記被処理気体中のＣＯ２濃度、及び前記ＣＯ２吸収塔から放出されるＣＯ２に基づいたＣＯ２の回収率の実測値及び目標値に基づいて、前記ＣＯ２吸収塔に供給する前記ＣＯ２吸収液の循環量を変更すると共に、前記ＣＯ２吸収液再生塔の再生加熱器に供給する飽和水蒸気の供給量を変更してＣＯ２回収率の前記実測値と前記目標値との差分値を所定範囲内に制御すると共に、
前記ＣＯ２吸収液再生塔から放出されるＣＯ２に基づいた前記被処理気体中のＣＯ２の回収量の実測値及び目標値に基づいて、前記ＣＯ２吸収塔に供給する前記ＣＯ２吸収液の循環量を変更すると共に、前記ＣＯ２吸収液再生塔の再生加熱器に供給する飽和水蒸気の供給量を変更してＣＯ２回収量の前記実測値と前記目標値との差分値を所定範囲内に制御することを特徴とする、ＣＯ２回収方法。
【請求項８】
前記ＣＯ２回収率の前記実測値と前記目標値との差分値に基づいて比例演算及び積分演算により前記ＣＯ２回収率を制御する、請求項７に記載のＣＯ２回収方法。
【請求項９】
前記ＣＯ２回収量の前記実測値と前記目標値との差分値に基づいて比例演算及び積分演算により前記ＣＯ２回収量を制御する、請求項７又は請求項８に記載のＣＯ２回収方法。
【請求項１０】
前記循環量及び前記飽和水蒸気の供給量を随時演算して制御する第１制御モードと前記循環量及び前記飽和水蒸気の供給量を所定期間ごとに演算して制御する第２制御モードとを切替えて前記ＣＯ２回収率及び前記ＣＯ２回収量を制御する、請求項７から請求項９のいずれか１項に記載のＣＯ２回収方法。
【請求項１１】
前記ＣＯ２回収率及び前記ＣＯ２回収量のいずれか一方を前記第１制御モードで制御し、いずれか他方を第２制御モードで制御する、請求項１０に記載のＣＯ２回収方法。
【請求項１２】
前記ＣＯ２回収率及び前記ＣＯ２回収量を第１制御モードで制御し、ＣＯ２回収量及びＣＯ２回収率のいずれか一方についてはデッドバンドを設けて制御する、請求項１０に記載のＣＯ２回収方法。
【手続補正２】
【補正対象書類名】明細書
【補正対象項目名】０００６
【補正方法】変更
【補正の内容】
【０００６】
本発明のＣＯ２回収装置は、被処理気体とＣＯ２吸収液とを接触させて前記被処理気体に含まれるＣＯ２を前記ＣＯ２吸収液に吸収させるＣＯ２吸収塔と、ＣＯ２を吸収した前記ＣＯ２吸収液を加熱してＣＯ２を放出させて前記ＣＯ２吸収液を再生するＣＯ２吸収液再生塔と、前記被処理気体中のＣＯ２濃度、及び前記ＣＯ２吸収塔から放出されるＣＯ２に基づいたＣＯ２の回収率の実測値及び目標値に基づいて、前記ＣＯ２吸収塔に供給する前記ＣＯ２吸収液の循環量を変更すると共に、前記ＣＯ２吸収液再生塔の再生加熱器に供給する飽和水蒸気の供給量を変更してＣＯ２回収率の実測値と前記目標値との差分値を所定範囲内に制御するＣＯ２回収率制御部と、前記ＣＯ２吸収液再生塔から放出されるＣＯ２に基づいた前記被処理気体中のＣＯ２の回収量の実測値及び目標値に基づいて、前記ＣＯ２吸収塔に供給する前記ＣＯ２吸収液の循環量を変更すると共に、前記ＣＯ２吸収液再生塔の再生加熱器に供給する飽和水蒸気の供給量を変更してＣＯ２回収量の前記実測値と前記目標値との差分値を所定範囲内に制御するＣＯ２回収量制御部と、を具備することを特徴とする。
【手続補正３】
【補正対象書類名】明細書
【補正対象項目名】００１３
【補正方法】変更
【補正の内容】
【００１３】
本発明のＣＯ２回収方法は、被処理気体とＣＯ２吸収液とを接触させて前記被処理気体に含まれるＣＯ２をＣＯ２吸収塔で前記ＣＯ２吸収液に吸収させる工程と、ＣＯ２を吸収した前記ＣＯ２吸収液をＣＯ２吸収液再生塔で加熱してＣＯ２を放出させて前記ＣＯ２吸収液を再生する工程と、を含み、前記被処理気体中のＣＯ２濃度、及び前記ＣＯ２吸収塔から放出されるＣＯ２に基づいたＣＯ２の回収率の実測値及び目標値に基づいて、前記ＣＯ２吸収塔に供給する前記ＣＯ２吸収液の循環量を変更すると共に、前記ＣＯ２吸収液再生塔の再生加熱器に供給する飽和水蒸気の供給量を変更してＣＯ２回収率の前記実測値と前記目標値との差分値を所定範囲内に制御すると共に、前記ＣＯ２吸収液再生塔から放出されるＣＯ２に基づいた前記被処理気体中のＣＯ２の回収量の実測値及び目標値に基づいて、前記ＣＯ２吸収塔に供給する前記ＣＯ２吸収液の循環量を変更すると共に、前記ＣＯ２吸収液再生塔の再生加熱器に供給する飽和水蒸気の供給量を変更してＣＯ２回収量の前記実測値と前記目標値との差分値を所定範囲内に制御することを特徴とする。